(57)【要約】【課題】本発明は、ＩＦ取付フレームとプリンタの背面フレームとの間のＦＧ接続を確実に行うことができると共に、安価な構成で、且つ取付および取外しを容易に行うことができるプリンタのインターフェースボード取付フレームを提供することを課題とする。【解決手段】ＩＦ取付フレーム７をプリンタの背面フレームに取り付けた際に、ＩＦ取付フレーム７とプリンタの背面フレームとが当接する面である当接面４４に切り込み７６を形成することで角部７７を形成し、当該角部７７をプリンタの背面フレームとの当接方向に曲げて、角部７７の先端部が当接面４４から突出するように構成されている。角部７７の先端部は、少なくともプリンタの背面フレームの下地の厚さ以上に当接面４４から突出させる。【選択図】        図１
2004262079.tif 000002
【特許請求の範囲】
【請求項１】
インターフェースボードをプリンタの筐体に取り付けるプリンタのインターフェースボード取付フレームであって、
前記筐体との当接面に存在する角部を前記当接面から突出させてなることを特徴とするプリンタのインターフェースボード取付フレーム。
【請求項２】
前記角部は、前記筐体の下地の厚さ以上に前記当接面から突出していることを特徴とする請求項１記載のプリンタのインターフェースボード取付フレーム。
【請求項３】
前記筐体との当接面に切り込みを入れることによって前記角部が形成されていることを特徴とする請求項１又は２記載のプリンタのインターフェースボード取付フレーム。
【請求項４】
インターフェースボード取付フレームを前記筐体にネジ止めする箇所の近傍の前記角部を前記当接面から突出させてなることを特徴とする請求項１乃至３のいずれかに記載のプリンタのインターフェースボード取付フレーム。
【発明の詳細な説明】
【０００１】
【発明の属する技術分野】
本発明は、インターフェースボードをプリンタのフレームに取り付けるプリンタのインターフェースボード取付フレームに関する。
【０００２】
【従来の技術】
図４は、プリンタの背面の構成を示す斜視図であり、図５は、従来のインターフェースボード取付フレームの構成を示す斜視図であり、図６は、従来のインターフェースボード取付フレーム取り付け例を示す図であり、図７は、従来のインターフェースボード取付フレームの構成を示す斜視図である。
【０００３】
図４に示すように、一般的なプリンタ１の背面には、インターフェースボード２（以下、ＩＦボードと称す）に形成されているポート２１が、プリンタ１の背面フレーム３に形成されている背面開口部３ａから外部に露出するように設けられており、ポート２１にパーソナルコンピュータ等からの印字データが入力される構成になっている。
【０００４】
ＩＦボード２は、図５（ａ）に示すようなインターフェースボード取付フレーム４（以下、ＩＦ取付フレームと称す）によってプリンタ１の背面フレーム３に取り付けられている。ＩＦ取付フレーム４には、ポート２１が貫通するフレーム開口部４１と、取付孔４２とが形成されており、ＩＦ取付フレーム４は、取付孔４２を貫通させたネジ５によって背面フレーム３に取り付けられる。なお、ＩＦ取付フレーム４には、図５（ｂ）に示すように、ＩＦ取付フレーム４の取付孔４２部分に位置決めのための凸部４３が形成されているものも存在する。
【０００５】
また、ＩＦボード２にノイズ（高周波）が溜まると印字不良や液晶画面のちらつき等の原因になるため、ＩＦ取付フレーム４は、プリンタ１の背面フレーム３にフレームグランド（ＦＧ）が接続されている。
【０００６】
特許文献１では、スライドボードの両端にグランドパターンを設けると共に、シールド用金属ケースの切り起こしに対応する位置のグランドパターンをむき出しにして、切り起こし部とスライドボードのグランドパターンが直接接触するようにして接地を行っている。
【０００７】
【特許文献１】
実開平６−６６０９４号
【０００８】
【発明が解決しようとする課題】
しかしながら、従来技術では、ＩＦ取付フレーム４とプリンタ１の背面フレーム３とは、図６（ａ）、（ｂ）に示すように、当接面４４（図５に示す斜線部分）で面接触することになるが、背面フレーム３には、基体１１上にさび止めのための下地１２が塗布されているため、下地１２によってＩＦ取付フレーム４とプリンタ１の背面フレーム３（基体１１）との間のＦＧ接続が不完全になってしまう。従って、ノイズ（高周波）がＩＦボード２に溜まってしまい、印字不良や液晶画面のちらつき等が発生してしまうという問題点があった。
【０００９】
そこで、図７（ａ）に示すように、ＩＦ取付フレーム４の取付孔４２の近傍にツメ部４５を形成したり、図７（ｂ）に示すように、菊座金ワッシャ６を介して取り付けたりして、ＩＦ取付フレーム４とプリンタ１の背面フレーム３（基体１１）との間のＦＧ接続を行うようにしているが、ＩＦ取付フレーム４の取付孔４２の近傍にツメ部４５を形成する方法では、コストアップになってしまい、菊座金ワッシャ６を介して取り付ける方法では、取付および取外しが煩雑になってしまうという問題点があった。
【００１０】
本発明は斯かる問題点を鑑みてなされたものであり、その目的とするところは、ＩＦ取付フレームとプリンタの背面フレームとの間のＦＧ接続を確実に行うことができると共に、安価な構成で、且つ取付および取外しを容易に行うことができるプリンタのインターフェースボード取付フレームを提供する点にある。
【００１１】
【課題を解決するための手段】
本発明は上記課題を解決すべく、以下に掲げる構成とした。
請求項１記載の発明の要旨は、インターフェースボードをプリンタの筐体に取り付けるプリンタのインターフェースボード取付フレームであって、前記筐体との当接面に存在する角部を前記当接面から突出させてなることを特徴とするプリンタのインターフェースボード取付フレームに存する。
また請求項２記載の発明の要旨は、前記角部は、前記筐体の下地の厚さ以上に前記当接面から突出していることを特徴とする請求項１記載のプリンタのインターフェースボード取付フレームに存する。
また請求項３記載の発明の要旨は、前記筐体との当接面に切り込みを入れることによって前記角部が形成されていることを特徴とする請求項１又は２記載のプリンタのインターフェースボード取付フレームに存する。
また請求項４記載の発明の要旨は、インターフェースボード取付フレームを前記筐体にネジ止めする箇所の近傍の前記角部を前記当接面から突出させてなることを特徴とする請求項１乃至３のいずれかに記載のプリンタのインターフェースボード取付フレームに存する。
【００１２】
【発明の実施の形態】
以下、本発明の実施の形態を図面に基づいて詳細に説明する。
【００１３】
図１は、本発明に係るプリンタのインターフェースボード取付フレームの実施の形態の構成を示す斜視図であり、図２は、本発明に係るプリンタのインターフェースボード取付フレームの実施の形態の取り付け例を示す図であり、図３は、本発明に係るプリンタのインターフェースボード取付フレームの他の実施の形態の構成を示す斜視図である。
【００１４】
本実施の形態のＩＦ取付フレーム７は、図１を参照すると、ＩＦ取付フレーム７をプリンタ１の背面フレーム３に取り付けた際に、ＩＦ取付フレーム７とプリンタ１の背面フレーム３とが当接する面である当接面４４（図１に示す斜線部分）に切り込み７６を形成することで角部７７を形成し、当該角部７７をプリンタ１の背面フレーム３との当接方向に曲げて、角部７７の先端部が当接面４４から突出するように構成されている。
【００１５】
角部７７の先端部は、少なくともプリンタ１の背面フレーム３の下地１２の厚さ以上に当接面４４から突出させる。角部７７の先端部をプリンタ１の背面フレーム３の下地１２の厚さ以上に当接面４４から突出させることにより、ＩＦ取付フレーム７をプリンタの背面フレーム３に取り付けた際に、図２に示すように、ＩＦ取付フレーム７の角部７７の先端部がプリンタの背面フレーム３に食い込んで、下地１２を貫通して基体１１まで至り、ＩＦ取付フレーム７が確実にＦＧ接続される。
【００１６】
また、先端が当接面４４から突出している角部７７は、ＩＦ取付フレーム７をプリンタ１の背面フレーム３にネジ止めする箇所の近傍、すなわち取付孔４２の近傍にあることが望ましい。取付孔４２の近傍に先端が当接面４４から突出している角部７７が存在すると、ネジ止めする際の力が確実に角部７７に作用することになり、ＩＦ取付フレーム７の角部７７の先端部がプリンタの背面フレーム３に食い込み易くなる。
【００１７】
さらに、角部７７の先端部をヤスリ等で鋭角に加工すると、角部７７の先端部がプリンタの背面フレーム３により食い込み易くなり、ＩＦ取付フレーム７がより確実にＦＧ接続される。
【００１８】
なお、他の実施の形態として、図３（ａ）に示すＩＦ取付フレーム８のように、取付孔４２を設けることなく、切り込み７６を取付孔４２の代わりに使用するようにしても良い。また、図３（ｂ）に示すＩＦ取付フレーム９のように、平板で構成しても良く、この場合にも、取付孔４２を設けることなく、切り込み７６を取付孔４２の代わりに使用するようにしても良い。さらに、図３（ｃ）に示すＩＦ取付フレーム１０のように、平板で構成されている場合には、コーナーに位置する角部７７を背面フレーム３との当接方向に曲げて、角部７７の先端部が当接面４４から突出するように構成しても良い。
【００１９】
以上説明したように、本実施の形態によれば、当接面４４に存在する角部７７をプリンタ１の背面フレーム３との当接方向に曲げて、角部７７の先端部を当接面４４から突出させることにより、ＩＦ取付フレーム７をプリンタの背面フレーム３にネジ５によって取り付けた際に、ＩＦ取付フレーム７の角部７７の先端部がプリンタの背面フレーム３に食い込んで、下地１２を貫通して基体１１まで至るため、ＩＦ取付フレームとプリンタの背面フレーム３との間のＦＧ接続を確実に行うことができるという効果を奏する。
【００２０】
さらに、本実施の形態によれば、当接面４４に存在する角部７７をプリンタ１の背面フレーム３との当接方向に曲げるだけで、ＩＦ取付フレームとプリンタの背面フレーム３との間のＦＧ接続を確実に行うことができるため、安価な構成で、且つ取付および取外しを容易に行うことができるという効果を奏する。
【００２１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２２】
【発明の効果】
本発明のプリンタのインターフェースボード取付フレームは、当接面に存在する角部をプリンタの背面フレームとの当接方向に曲げて、角部の先端部を当接面から突出させることにより、ＩＦ取付フレームをプリンタの背面フレームにネジによって取り付けた際に、ＩＦ取付フレームの角部の先端部がプリンタの背面フレームに食い込んで、下地を貫通して基体まで至るため、ＩＦ取付フレームとプリンタの背面フレームとの間のＦＧ接続を確実にして、ノイズの除去を行うことができるという効果を奏する。
【００２３】
さらに、本発明のプリンタのインターフェースボード取付フレームは、当接面に存在する角部をプリンタ背面フレームとの当接方向に曲げるだけで、ＩＦ取付フレームとプリンタの背面フレームとの間のＦＧ接続を確実に行うことができるため、安価な構成で、且つ取付および取外しを容易に行うことができるという効果を奏する。
【図面の簡単な説明】
【図１】本発明に係るプリンタのインターフェースボード取付フレームの実施の形態の構成を示す斜視図である。
【図２】本発明に係るプリンタのインターフェースボード取付フレームの実施の形態の取り付け例を示す図である。
【図３】本発明に係るプリンタのインターフェースボード取付フレームの他の実施の形態の構成を示す斜視図である。
【図４】プリンタの背面の構成を示す斜視図である。
【図５】従来のインターフェースボード取付フレームの構成を示す斜視図である。
【図６】従来のインターフェースボード取付フレームの取り付け例を示す図である。
【図７】従来のインターフェースボード取付フレームの構成を示す斜視図である。
【符号の説明】
１  プリンタ
２  インターフェースボード（ＩＦボード）
３  背面フレーム
３ａ  背面開口部
４  インターフェースボード（ＩＦ）取付フレーム（従来）
５  ネジ
６  菊座金ワッシャ
７  インターフェースボード（ＩＦ）取付フレーム（本実施の形態）
８、９、１０  インターフェースボード（ＩＦ）取付フレーム（他の実施の形態）
１１  基体
１２  下地
２１  ポート
４１  フレーム開口部
４２  取付孔
４３  凸部
４４  当接面
４５  ツメ部
７６  切り込み
７７  角部
【図１】
2004262079.tif 000003
【図２】
2004262079.tif 000004
【図３】
2004262079.tif 000005
【図４】
2004262079.tif 000006
【図５】
2004262079.tif 000007
【図６】
2004262079.tif 000008
【図７】
2004262079.tif 000009